(57)【要約】【課題】マスクを外した際に、衛生的に保持できると共に、ストラップが引っかかった場合は、すぐに首から外れ、首が締まってしまう事故を防ぐことができ、ストラップが外れたときでもマスクが落下しにくいマスク用ネックストラップを提供すること。【解決手段】第一ストラップの端部に設けられマスクの耳紐又はマスクの端部に着脱自在に係止される第一係止具と、第一ストラップの端部であって第一係止具が設けられた端と反対の端に設けられた第一ストラップ側安全パーツと、前記第二ストラップの前記第二ストラップ側安全パーツが設けられたとは反対の端部に設けられたマスクの耳紐に着脱自在に係止される第二係止具と、第二ストラップの端部であって第二係止具が設けられた端と反対の端に設けられ、前記第一ストラップ側安全パーツに嵌合する嵌合部を備えた第二ストラップ側安全パーツを有するマスク用ネックストラップを提供する。【選択図】図１
2022001674.tif 000002
【特許請求の範囲】
【請求項１】
第一ストラップの端部に設けられマスクの耳紐又はマスクの端部に着脱自在に係止される第一係止具と、
第一ストラップの端部であって第一係止具が設けられた端と反対の端に設けられた第一ストラップ側安全パーツと、
前記第二ストラップの前記第二ストラップ側安全パーツが設けられたとは反対の端部に設けられたマスクの耳紐に着脱自在に係止される第二係止具と、
第二ストラップの端部であって第二係止具が設けられた端と反対の端に設けられ、前記第一ストラップ側安全パーツに嵌合する嵌合部を備えた第二ストラップ側安全パーツとを有し、
前記第一ストラップ側安全パーツと前記第二ストラップ側安全パーツは、所定量を超える負荷により着脱可能であり且つ前記第一ストラップと前記第二ストラップを連結状態で首に掛けたときに前記第一ストラップ側安全パーツと前記第二ストラップ側安全パーツとが首の横側に位置することを特徴とするマスク用ネックストラップ。
【請求項２】
第一ストラップの端部に設けられマスクの耳紐又はマスクの端部に着脱自在に係止される第一係止具と、
第一ストラップの端部であって第一係止具が設けられた端と反対の端に設けられた第一ストラップ側安全パーツと、
前記第二ストラップの前記第二ストラップ側安全パーツが設けられたとは反対の端部に設けられたマスクの耳紐に着脱自在に係止される第二係止具と、
第二ストラップの端部であって第二係止具が設けられた端と反対の端に設けられ、前記第一ストラップ側安全パーツに嵌合する嵌合部を備えた第二ストラップ側安全パーツとを有し、
前記第一ストラップ側安全パーツと前記第二ストラップ側安全パーツは、所定量を超える負荷により着脱可能であり且つ前記第一係止め具から前記第一ストラップ側安全パーツまでの長さが、前記第二係止具から前記第二ストラップ側安全パーツまでの長さより長いことを特徴とするマスク用ネックストラップ。
【請求項３】
前記第一係止め具から前記第一ストラップ側安全パーツまでの長さが、前記第二係止具から前記第二ストラップ側安全パーツまでの長さの二倍以上であることを特徴とする請求項１又は請求項２に記載のマスク用ネックストラップ。
【請求項４】
第一ストラップ又は第二ストラップを少なくとも二種類以上備え、組み合わせ及び交換を可能としたことを特徴とする請求項１から請求項３いずれか１つに記載のマスク用ネックストラップ。
【請求項５】
前記第一係止具および／又は前記第二係止具がマスクの耳紐又はマスクの端部を挟持可能なクリップ形状であることを特徴とする請求項１から請求項４いずれか１つに記載のマスク用ネックストラップ。
【発明の詳細な説明】
【技術分野】
【０００１】
本発明は、マスクを衛生的に保持し且つ装着時の安全に配慮したマスク用ネックストラップに関する。
【背景技術】
【０００２】
日常生活の中でマスクを装着する中、水を飲んだり、顔を洗ったり、マスクを外す場面が多々ある。そのような場合に、マスクをテーブルに置いたり、洗面台に置いたりすると、置き忘れやすい。また、マスクを置く場所によっては、マスクに雑菌が付着したり、逆に、マスクについていた雑菌がマスクを置いた場所を汚染してしまったりもする。
【０００３】
従来よりマスクを首からかけて保持するマスク用ネックストラップが考案されている。これは、ストラップにマスクの両端を留めて、首から下げる構造のものである。
【先行技術文献】
【特許文献】
【０００４】
【特許文献１】特開２０１１−１６１１８６号公報
【発明の概要】
【発明が解決しようとする課題】
【０００５】
マスクを、ネックストラップで保持すると、置き忘れたり、マスクや、マスクを置いた場所が不衛生になったりする問題は解決できる。また、特許文献１の分離とめ具付きマスク用ネックストラップは、分離可能なとめ具が使用されているので、ストラップが引っかかって首が締まる事故も予防することができる。しかしながら、分離可能なとめ具をストラップの中央部分に設けると、ストラップが外れた際に、マスクが下に即時に落下し、マスクは使用できなくなるという問題があった。
【０００６】
そこで、本発明のマスク用ネックストラップは、マスクの両端を留める係止具を備え、所定以上の負荷がかかるとストラップが外れて首が締まる事故を防止するとともに、ストラップが外れた際に、マスクが即時に落下せず、ストラップが首にかかったままの状態をしばらく保持できるマスク用ネックストラップを提供する。
【課題を解決するための手段】
【０００７】
本発明のマスク用ネックストラップは、第一ストラップの端部に設けられマスクの耳紐又はマスクの端部に着脱自在に係止される第一係止具と、第一ストラップの端部であって第一係止具が設けられた端と反対の端に設けられた第一ストラップ側安全パーツと、前記第二ストラップの前記第二ストラップ側安全パーツが設けられたとは反対の端部に設けられたマスクの耳紐に着脱自在に係止される第二係止具と、第二ストラップの端部であって第二係止具が設けられた端と反対の端に設けられ、前記第一ストラップ側安全パーツに嵌合する嵌合部を備えた第二ストラップ側安全パーツとを有し、前記第一ストラップ側安全パーツと前記第二ストラップ側安全パーツは、所定量を超える負荷により着脱可能であり且つ前記第一ストラップと前記第二ストラップを連結状態で首に掛けたときに前記第一ストラップ側安全パーツと前記第二ストラップ側安全パーツとが首の横側に位置することを特徴とする。
【０００８】
この発明によれば、マスクの両端を留める係止具を備えており、マスクを外した際に、置き忘れたり、不衛生になったりすることを防止できる。常時、身に着けておくことで、他人のマスクと取り違える事故も防ぐことができる。気軽に着脱できるので、周囲に人がいないときはマスクを外し、人が近づいてきたらマスクを装着する等して、マスク着用時間を必要最小限にでき、夏季にマスク長時間着用による熱中症も予防できる。また、ストラップの第一ストラップ側安全パーツと第二ストラップ側安全パーツは着脱自在であり、所定以上の負荷がかかると外れるので首が締まる事故を防止するとともに、第一ストラップ側安全パーツと第二ストラップ側安全パーツが、首の後ろではなくマスク近傍に位置するので、ストラップが外れた際に、ストラップが首にかかったままの状態をしばらく保持でき、マスクが即時に落下しない。
【０００９】
なお、安全パーツとは、強い力がかかった場合に分離する結合具のセットである。安全パーツは、ストラップの端部に、それぞれ設けられ、結合してネックストラップを連結すると共に、ネックストラップに強い負荷がかかった場合には、結合具が分離することにより、ネックストラップによる首締まり事故を予防するものである。安全パーツは、断面が鉤型又はＣ字型のフック形状の結合具とそれに嵌合する形状の結合具のセットや、突起が設けられた結合具と、その突起が嵌る溝を有する結合具のセット等がある。
【００１０】
また、本発明のマスク用ネックストラップは、第一ストラップの端部に設けられマスクの耳紐又はマスクの端部に着脱自在に係止される第一係止具と、第一ストラップの端部であって第一係止具が設けられた端と反対の端に設けられた第一ストラップ側安全パーツと、前記第二ストラップの前記第二ストラップ側安全パーツが設けられたとは反対の端部に設けられたマスクの耳紐に着脱自在に係止される第二係止具と、第二ストラップの端部であって第二係止具が設けられた端と反対の端に設けられ、前記第一ストラップ側安全パーツに嵌合する嵌合部を備えた第二ストラップ側安全パーツとを有し、前記第一ストラップ側安全パーツと前記第二ストラップ側安全パーツは、所定量を超える負荷により着脱可能であり且つ前記第一係止具から前記第一ストラップ側安全パーツまでの長さが、前記第二係止具から前記第二ストラップ側安全パーツまでの長さより長いことを特徴とする。
【００１１】
この発明によれば、マスクの両端を留める係止具を備えており、マスクを外した際に、置き忘れたり、不衛生になったりすることを防止できる。また、ストラップの第一ストラップ側安全パーツと第二ストラップ側安全パーツは着脱自在であり、所定以上の負荷がかかると外れるので首が締まる事故を防止する。また、第一ストラップ側安全パーツと第二ストラップ側安全パーツが、首の後ろではなくマスク近傍、すなわち、首の横側に位置するので、ストラップが外れた際に、ストラップが首にかかったままの状態をしばらく保持でき、マスクが即時に落下しない。
【００１２】
また、本発明のマスク用ネックストラップは、前記第一係止め具から前記第一ストラップ側安全パーツまでの長さが、前記第二係止具から前記第二ストラップ側安全パーツまでの長さの二倍以上であることを特徴とする。
【００１３】
この発明によれば、マスクの両端を留める係止具を備えており、マスクを外した際に、置き忘れたり、不衛生になったりすることを防止できる。また、ストラップの第一ストラップ側安全パーツと第二ストラップ側安全パーツは着脱自在であり、所定以上の負荷がかかると外れるので首が締まる事故を防止するとともに、第一ストラップ側安全パーツと第二ストラップ側安全パーツが、首の後ろではなくマスク近傍に位置するので、ストラップが外れた際に、ストラップが首にかかったままの状態をしばらく保持でき、マスクが即時に落下しない。
【００１４】
本発明のマスク用ネックストラップは、第一ストラップ又は第二ストラップを少なくとも二種類以上備え、組み合わせ及び交換を可能としたことを特徴とする。
【００１５】
」
この発明によれば、複数種類の素材、色彩、柄の第一ストラップまたは第二ストラップを備えることで、その日によって、違う組み合わせでマスク用ネックストラップを使用することができるので、その日の気分や服装にあわせて、自由に、マスク用ネックストラップをファッションの一部としてコーディネートできる。マスクを装着しなければならないという憂鬱な気分から解放され、マスクをファッションの一部として楽しむことができる。
【００１６】
また、本発明のマスク用ネックストラップは、前記第一係止具および／又は前記第二係止具がマスクの耳紐又はマスクの端部を挟持可能なクリップ形状であることを特徴とする。
【００１７】
この発明によれば、第一係止具および／又は第二係止具がマスクの耳紐又はマスクの端部を挟持可能なクリップ形状であるため、マスクの表面が外側に位置するように、クリップで挟持することができる。マスクを外したとき、マスクが口に接する面が常時内側を向き、マスクを保持できるため、外したマスクを衛生的に保持することができる。
【図面の簡単な説明】
【００１８】
【図１】本発明の実施の形態１にかかるマスク用ネックストラップ１００の平面図である。
【図２】（ａ）は、本発明の実施の形態１にかかるマスク用ネックストラップ１００の着脱具を外した状態を示す参考平面図であって、（ｂ）は図２（ａ）のＡ部拡大図である。
【図３】（ａ）は、図２（ｂ）に示したマスク用ネックストラップ１００のＢ−Ｂ断面図、であって（ｂ）は、マスク用ネックストラップの使用方法を説明するための参考断面図である。
【図４】本発明の実施の形態１にかかるマスク用ネックストラップ１００の使用方法を説明するための参考斜視図である。
【図５】本発明の実施の形態１にかかるマスク用ネックストラップ１００の使用方法を説明するための参考斜視図である。
【図６】本発明の実施の形態１にかかるマスク用ネックストラップ１００の使用方法を説明するための参考斜視図である。
【図７】本発明の実施の形態１にかかるマスク用ネックストラップ１００の使用方法を説明するための参考斜視図である。
【図８】本発明の実施の形態１にかかるマスク用ネックストラップ１００を装着した状態を示す参考図である。
【図９】本発明の実施の形態１にかかるマスク用ネックストラップ１００の使用方法を説明するための参考図である。
【図１０】本発明の実施の形態１にかかるマスク用ネックストラップ１００の使用方法を説明するための参考図である。
【図１１】本発明の実施の形態２にかかるマスク用ネックストラップ２００の平面図である。
【図１２】本発明の実施の形態２にかかるマスク用ネックストラップ２００の正面図である。
【図１３】本発明の実施の形態２にかかるマスク用ネックストラップ２００の使用方法を説明するための参考図である。
【発明を実施するための形態】
【００１９】
以下、発明を実施するための形態を説明する。
【００２０】
（実施の形態１）
最初に、図１から図７を示しながら、本発明の実施の形態１のマスク用ネックストラップ１００について説明する。図１は、本発明の実施の形態１にかかるマスク用ネックストラップ１００の平面図である。図２（ａ）は、本発明の実施の形態１にかかるマスク用ネックストラップ１００の着脱具を外した状態を示す参考平面図であって、（ｂ）は図２（ａ）のＡ部拡大図である。図３（ａ）は、図２（ｂ）に示したマスク用ネックストラップ１００のＢ−Ｂ断面図、であって（ｂ）は、マスク用ネックストラップの使用方法を説明するための参考断面図である。
【００２１】
実際の形態１のマスク用ネックストラップ１００は、図１に示すように、第一ストラップ１と、第二ストラップ２を、主に有する。第一ストラップ１の端部には、第一係止具１１が設けられ、第一係止具１１が設けられた端と反対の端には第一ストラップ側安全パーツ１２が設けられている。第二ストラップ２の端部には、第二係止具２１が設けられ、第二係止具２１が設けられた端とは反対の端には第二ストラップ側安全パーツ２２が設けられている。第一ストラップ１の第一ストラップ側安全パーツ１２と第二ストラップ２の第二ストラップ側安全パーツ２２とは、結合可能となっている。本実施の形態１のマスク用ネックストラップ１００では、安全パーツとして、断面がＣ字型のフック形状を有する第一ストラップ側安全パーツ１２と、当該フック形状に嵌合する第二ストラップ側安全パーツ２２とが用いられている。第一ストラップ側安全パーツ１２と第二ストラップ２の第二ストラップ側安全パーツ２２とは、結合具とそれに嵌合する形状の結合具のセットであればよく、突起が設けられた結合具と、その突起が嵌る溝を有する結合具のセット等を安全パーツとして採用してもよい。
【００２２】
第一ストラップ１は、第二ストラップ２よりも長辺方向の寸法が長い。第一ストラップ１の長さは、第二ストラップ２の長さの二倍以上とするのが望ましい。第一ストラップ１の長さが第二ストラップ２の長さより長いことで、マスク用ネックストラップ１００にマスクを装着して使用している際に、第一ストラップ１の第一ストラップ側安全パーツ１２と第二ストラップ２の第二ストラップ側安全パーツ２２が外れても、第一ストラップ１が首にかかったままとなり、マスク用ネックストラップ１００と装着されたマスクとが下に、即時に落下することを防止できる。
【００２３】
図２（ａ）及び（ｂ）に示すように、第一ストラップ１の端部に設けられた第一ストラップ側安全パーツ１２と、第二ストラップ２の端部に設けられた第二ストラップ側安全パーツ２２は、着脱自在となっている。図２（ｂ）に示すように、第二ストラップ２の第二ストラップ側安全パーツ２２の先端には、嵌合部２３が設けられ、第一ストラップ１の第一ストラップ側安全パーツ１２のフック１３と嵌合する可能となっている。また、本実施の形態１のマスク用ネックストラップ１００は、第二ストラップ２に、長さ調整具２４が設けられており、ストラップの長さを調節することができる。子供から大人まで、様々な使用者の体格にあわせたマスク用ネックストラップ１００を提供可能である。
【００２４】
図３（ａ）に示すように、第一ストラップ１の第一ストラップ側安全パーツ１２に設けられたフック１３は、断面がＣ字形状のフックであって、第二ストラップ２の第二ストラップ側安全パーツ２２に設けられた断面円形の嵌合部２３に嵌る形状となっている。第一ストラップ側安全パーツ１２のフック１３は、樹脂その他の素材からなり、ある程度の硬度と弾性を備え、フック１３を、嵌合部２３にあてがって、すこしの負荷をかけると、図３（ｂ）に示すように、フック１３が嵌合部２３にカチリと嵌るようになっている。また、フック１３と、嵌合部２３とは、互いに外方向に引っ張ると、外れるようになっている。
【００２５】
フック１３と嵌合部２３が、着脱容易となっていることで、マスク用ネックストラップを使用中に、ストラップが何かに引っかかってしまう場面、たとえば、滑り台を滑り降りる際に、滑り台の頂点部分にストラップが引っかかってしまったような場合でも、ストラップが容易に外れるので、首が締まってしまう事故を防ぐことができる。また、本発明の実施形態１のマスク用ネックストラップ１００は、第一ストラップ１の長さが使用者の首周り寸法より長いので、第一ストラップ１と第二ストラップ２を連結し、マスクを係止して首にかけた状態で、第一ストラップ側安全パーツ１２と第二ストラップ側安全パーツ２２が、首の横側に位置する状態となる。そのため、第一ストラップ側安全パーツ１２と第二ストラップ側安全パーツ２２は、ストラップが外れた際、ストラップは首にかかったままで、しばらく保持される。したがって、第一ストラップ側安全パーツ１２と第二ストラップ側安全パーツ２２とが離れストラップが外れてしまった際、マスクが即時に落下せず、マスクとストラップを手で押さえればマスクを床に落とす前に保持することができる。
【００２６】
次に、マスク用ネックストラップ１００に、マスクを装着する方法について説明する。図４は、本発明の実施の形態１にかかるマスク用ネックストラップ１００の使用方法を説明するための参考斜視図である。図５は、本発明の実施の形態１にかかるマスク用ネックストラップ１００の使用方法を説明するための参考斜視図である。図６は、本発明の実施の形態１にかかるマスク用ネックストラップ１００の使用方法を説明するための参考斜視図である。図７は、本発明の実施の形態１にかかるマスク用ネックストラップ１００の使用方法を説明するための参考斜視図である。
【００２７】
図４及び図５に示すように、マスク用ネックストラップ１００の第二ストラップ２の端部に設けられている第二係止具２１は、指で押すことで簡単に開閉可能な、いわゆるカニカンと呼ばれる部材からなり、マスクの耳紐を通して保持できるものである。第二係止具１１は、カニカン部材に限定されず、マスクの耳紐を保持可能なものであればよく、クリップ形状や面テープを用いた第二係止具１１としてもよい。また、第一ストラップ１の端部に設けられている第一係止具１１も、同様に、カニカン、クリップ形状、面テープその他の保持具が用いられる。
【００２８】
図６のように、第二係止具２１を指で押して開閉操作して、第二ストラップ２の第二係止具２１に、マスクの耳紐を保持させる。同様に、第一ストラップ１の第一係止具１１にもマスクの耳紐を保持させると図７のように、マスクにマスク用ネックストラップ１００を装着することができる。マスク用ネックストラップ１００を装着したマスクＭを首からかけたうえで、マスクＭを図８のように装着する。マスクを外す際は、図９のように、マスク用ネックストラップ１００を首にかけたままマスクＭを外すと、胸元にマスクＭが保持される。マスクＭを置き忘れることがなく、また、マスクＭを衛生的に保持することができる。図１０に示すように、本発明のマスク用ネックストラップ１００は、どのような形状のマスクＭにも装着可能である。
【００２９】
マスク用ネックストラップ１００は、第一ストラップ１と、第二ストラップ２を、様々ない色彩、素材、デザインのストラップとしたり、チェーンやレース素材とすることで、ファッション性を高めることができる。また、第一ストラップ１と、第二ストラップ２の組み合わせを変えることで、様々なバリエーションが生まれる。マスクをファッションの一部として、その日の服装、その日の気分にあったマスク用ネックストラップ１００を選択することができる。シーズンごとに、新たなデザイン、素材のものを販売することができるので顧客吸引力が高く、マーケティング効果も期待できる。夏の時期は、マスク用ネックストラップ１００を、洗い替え用を含め複数種類準備することで、衛生的に使用することが可能である。
【００３０】
（実施の形態２）
次に、図１１から図１４を示しながら、本発明の実施の形態２のマスク用ネックストラップ２００について説明する。図１１は、、本発明の実施の形態２にかかるマスク用ネックストラップ２００の平面図である。図１２は、本発明の実施の形態２にかかるマスク用ネックストラップ２００の正面図である。図１３は、本発明の実施の形態２にかかるマスク用ネックストラップ２００の使用方法を説明するための参考図である。
【００３１】
本発明の実施の形態２のマスク用ネックストラップ２００は、第一ストラップ１及び第二ストラップ２の端部に、それぞれ、クリップ形状の第一挟持具１４、第二挟持具２５を設けて、マスクの耳紐またはマスクの両端を、第一挟持具１４、第二挟持具２５によって挟持して保持する構成となっている。第一挟持具１４、第二挟持具２５以外の構成は、実施の形態１のマスク用ネックストラップ１００と同様であるため説明を省略する。
【００３２】
本発明の実施の形態２のマスク用ネックストラップ２００では、第一挟持具１４、第二挟持具２５を設けて、マスクの耳紐またはマスクの両端を、第一挟持具１４、第二挟持具２５によって挟持して保持するので、マスクの向きを固定して保持することができる。マスクの外側、すなわち、口元に接する面とは対向する面が、常時、外側に向くように、マスクの向きを固定したまま、保持して係止することができるので、マスクを外したときでも、マスクの内側、すなわち、口元に接する面を衛生的に保つことができる。
【００３３】
本発明の実施の形態２のマスク用ネックストラップ２００では、第一挟持具１４、第二挟持具２５を、クリップ形状の挟持具としたが、第一挟持具１４、第二挟持具２５の形状は、これに限定されることなく、マスクの向きを固定して保持可能な機構であればよい。たとえば、面テープ、粘着テープその他の係止可能な部材を採用してもよい。
【符号の説明】
【００３４】
１００，２００  マスク用ネックストラップ
１  第一ストラップ
１１  第一係止具
１２  第一ストラップ側安全パーツ
１３  フック
１４  第一挟持具
２  第二ストラップ
２１  第二係止具
２２  第二ストラップ側安全パーツ
２３  嵌合部
２４  長さ調整具
２５  第二挟持具
Ｍ  マスク
Ｓ  使用者  
Ｈ  手
【図１】
2022001674.tif 000003
【図２】
2022001674.tif 000004
【図３】
2022001674.tif 000005
【図４】
2022001674.tif 000006
【図５】
2022001674.tif 000007
【図６】
2022001674.tif 000008
【図７】
2022001674.tif 000009
【図８】
2022001674.tif 000010
【図９】
2022001674.tif 000011
【図１０】
2022001674.tif 000012
【図１１】
2022001674.tif 000013
【図１２】
2022001674.tif 000014
【図１３】
2022001674.tif 000015